(57)【要約】【課題】装置を複雑化することなくリアルタイム性及び操作性を確保できるプラント運転支援システムを得る。【解決手段】プラント３の運転を支援するための膨大なガイダンス情報の作成はガイダンス情報提供装置１にて行いリアルタイム性を確保し、軽微なガイダンス情報及びプラントプロセスデータの表示はプラントの運転制御を行うプラント監視制御端末装置２の図示しない画面表示装置にて行うようにして視認性及び操作性を確保し、役割を分担させることにより装置を複雑化することなくリアルタイム性及び操作性を確保する。【選択図】図１
2010231679.tif 000002
【特許請求の範囲】
【請求項１】
報知レベル到達検出装置とガイダンス情報提供装置とプラント監視制御端末装置とを有しプラントの運転を支援するプラント運転支援システムであって、
上記報知レベル到達検出装置は、上記プラントからのプロセスデータの報知レベル到達を検出するものであり、
上記ガイダンス情報提供装置は、上記プラントの運転を支援するための情報をガイダンス情報として出力するとともに、上記プロセスデータの報知レベル到達が検出されたとき上記報知レベル到達が検出されたプロセスデータに関する表示情報を報知レベル到達プロセスデータガイダンス情報として出力するものであり、
上記プラント監視制御端末装置は、画面表示装置を有し、上記プロセスデータ及び上記ガイダンス情報に基づき上記プラントの監視制御を行うとともに、上記プロセスデータの報知レベル到達が検出されたとき上記報知レベル到達プロセスデータガイダンス情報と上記報知レベル到達が検出されたプロセスデータとに基づいて描画データを生成し上記報知レベル到達プロセスデータガイダンス情報と上記報知レベル到達が検出されたプロセスデータとを上記画面表示装置に表示するものである、
プラント運転支援システム。
【請求項２】
上記ガイダンス情報提供装置は、上記プロセスデータの報知レベル到達が検出されたとき上記報知レベル到達プロセスデータガイダンス情報のみを抽出して出力するものであり、
上記プラント監視制御端末装置は、上記報知レベル到達プロセスデータガイダンス情報に基づいて上記描画データを更新するものである、
ことを特徴とする請求項１に記載のプラント運転支援システム。
【請求項３】
上記ガイダンス情報提供装置は、上記ガイダンス情報は上記画面表示装置に表示する表示属性が定義されたものであり、
上記プラント監視制御端末装置は、上記ガイダンス情報を上記画面表示装置に上記表示属性に従って表示するものである、
ことを特徴とする請求項１に記載のプラント運転支援システム。
【請求項４】
上記ガイダンス情報提供装置は、監視点情報記憶手段と監視点情報抽出手段とを有し、上記監視点情報記憶手段は上記プラントに関して監視すべき監視点が及び当該監視点の属性を定義した監視点情報を記憶するものであり、上記監視点情報抽出手段は指定された上記監視点に関する上記監視点情報を上記監視点情報の中から指定監視点情報として抽出するものであり、
上記プラント監視制御端末装置は、上記指定監視点情報を記憶する指定監視点情報記憶手段を有し、上記プロセスデータが報知レベル到達のとき報知レベル到達が検出された上記プロセスデータと報知レベル到達が検出された上記プロセスデータに対応する上記指定監視点情報と上記報知レベル到達プロセスデータガイダンス情報とに基づいて上記描画データを生成するものである、
ことを特徴とする請求項１に記載のプラント運転支援システム。
【請求項５】
上記ガイダンス情報提供装置は、監視点情報記憶手段と監視点情報抽出手段とを有し、上記監視点情報記憶手段は上記プラントに関して監視すべき監視点が及び当該監視点の属性を定義した監視点情報を記憶するものであり、上記監視点情報抽出手段は指定された上記監視点に関する上記監視点情報を上記監視点情報の中から指定監視点情報として抽出するものであり、かつ上記プロセスデータの報知レベル到達が検出されたとき上記報知レベル到達プロセスデータガイダンス情報のみを抽出して出力するものであり、
上記プラント監視制御端末装置は、上記指定監視点情報を記憶する指定監視点情報記憶手段を有し、上記プロセスデータが報知レベル到達のとき報知レベル到達が検出された上記プロセスデータと報知レベル到達が検出された上記プロセスデータに対応する上記指定監視点情報と上記報知レベル到達プロセスデータガイダンス情報とに基づいて上記描画データを生成するものである、
ことを特徴とする請求項１に記載のプラント運転支援システム。
【発明の詳細な説明】
【技術分野】
【０００１】
本発明は、例えば原子力プラントなどのプラントの運転を支援するためのプラント運転支援システムに関する。
【背景技術】
【０００２】
従来のプラント運転支援システムにおいては、プラント監視制御システムとの連携については考慮せずにガイダンス情報を提供することだけが考えられている（例えば、特許文献１参照）。
【先行技術文献】
【特許文献】
【０００３】
【特許文献１】特開昭６３−２９６１０８号公報（第２頁左下欄第１３行〜右下欄第１５行及び第１図）
【発明の概要】
【発明が解決しようとする課題】
【０００４】
従来のプラント運転支援システムは以上のように構成され、詳細なガイダンス情報を作成するには膨大なデータベースの検索を要するため、プラントの監視制御用端末の制御用計算機を兼用してガイダンス情報を作成する場合には、監視制御用端末のリアルタイム性が劣化する。このために、実際のプラント監視を行う場合には監視制御用端末とは別にガイダンス用端末を用意しないとシステムに必要なリアルタイム性を確保できなくなってしまい装置が複雑になるという問題点があった。また、ガイダンス情報はガイダンス情報を作成するガイダンス情報作成装置に表示し、プラント監視制御端末装置と独立させるとガイダンス情報の確認作業が煩雑になり、運転員に作業負荷がかかり操作性が低下する。
【０００５】
この発明は上記のような問題点を解決するためになされたものであり、装置を複雑化することなくリアルタイム性及び操作性を確保できるプラント運転支援システムを得ることを目的とする。
【課題を解決するための手段】
【０００６】
この発明に係るプラント運転支援システムにおいては、報知レベル到達検出装置とガイダンス情報提供装置とプラント監視制御端末装置とを有しプラントの運転を支援するプラント運転支援システムであって、
報知レベル到達検出装置は、プラントからのプロセスデータの報知レベル到達を検出するものであり、
ガイダンス情報提供装置は、プラントの運転を支援するための情報をガイダンス情報として出力するとともに、プロセスデータの報知レベル到達が検出されたとき報知レベル到達が検出されたプロセスデータに関する表示情報を報知レベル到達プロセスデータガイダンス情報として出力するものであり、
プラント監視制御端末装置は、画面表示装置を有し、プロセスデータ及びガイダンス情報に基づきプラントの監視制御を行うとともに、プロセスデータの報知レベル到達が検出されたとき報知レベル到達プロセスデータガイダンス情報と報知レベル到達が検出されたプロセスデータとに基づいて描画データを生成し報知レベル到達プロセスデータガイダンス情報と報知レベル到達が検出されたプロセスデータとを画面表示装置に表示するものである。
【発明の効果】
【０００７】
この発明は、報知レベル到達検出装置とガイダンス情報提供装置とプラント監視制御端末装置とを有しプラントの運転を支援するプラント運転支援システムであって、
報知レベル到達検出装置は、プラントからのプロセスデータの報知レベル到達を検出するものであり、
ガイダンス情報提供装置は、プラントの運転を支援するための情報をガイダンス情報として出力するとともに、プロセスデータの報知レベル到達が検出されたとき報知レベル到達が検出されたプロセスデータに関する表示情報を報知レベル到達プロセスデータガイダンス情報として出力するものであり、
プラント監視制御端末装置は、画面表示装置を有し、プロセスデータ及びガイダンス情報に基づきプラントの監視制御を行うとともに、プロセスデータの報知レベル到達が検出されたとき報知レベル到達プロセスデータガイダンス情報と報知レベル到達が検出されたプロセスデータとに基づいて描画データを生成し報知レベル到達プロセスデータガイダンス情報と報知レベル到達が検出されたプロセスデータとを画面表示装置に表示するものであるので、
装置を複雑化することなくリアルタイム性及び操作性を確保できるプラント運転支援システムを得ることができる。
【図面の簡単な説明】
【０００８】
【図１】この発明の実施の形態１であるプラント運転支援システムの構成を示す構成図である。
【図２】ガイダンス情報提供装置の構成図である。
【図３】プラント監視制御端末装置の構成図である。
【図４】ガイダンス情報提供装置の動作を説明するためのフローチャートである。
【図５】プラント監視制御端末装置の動作を説明するためのフローチャートである。
【図６】ガイダンス情報提供装置の構成図である。
【図７】プラント監視制御端末装置の構成図である。
【図８】ガイダンス情報提供装置の動作を説明するためのフローチャートである。
【図９】プラント監視制御端末装置の動作を説明するためのフローチャートである。
【図１０】ガイダンス情報提供装置におけるプラント構成設備クラスベース記憶手段及びプラント構成設備データベース記憶手段の構成を示す構成図である。
【図１１】動作を説明するためのフローチャートである。
【図１２】ガイダンス情報提供装置の構成図である。
【図１３】プラント監視制御端末装置の構成図である。
【図１４】ガイダンス情報提供装置の動作を説明するためのフローチャートである。
【図１５】プラント監視制御端末装置の動作を説明するためのフローチャートである。
【図１６】ガイダンス情報提供装置の構成図である。
【図１７】図１７はプラント監視制御端末装置の構成図である。
【図１８】ガイダンス情報提供装置の動作を説明するためのフローチャートである。
【図１９】プラント監視制御端末装置の動作を説明するためのフローチャートである。
【発明を実施するための形態】
【０００９】
実施の形態１．
図１〜図５は、この発明を実施するための実施の形態１を示すものであり、図１はプラント運転支援システムの構成を示す構成図、図２はガイダンス情報提供装置の構成図、図３はプラント監視制御端末装置の構成図である。図４は、ガイダンス情報提供装置の動作を説明するためのフローチャート、図５はプラント監視制御端末装置の動作を説明するためのフローチャートである。図１において、プラント３は監視制御対象となる例えば原子力発電プラントなどの発電プラントである。このプラント３の設備等に関するプラントプロセスデータは、プロセスデータ入出力装置４により収集される。また、操作員の操作信号はプロセスデータ入出力装置４を介してプラント３内の設備に配送される。プロセスデータ入出力装置４により収集されたプラントプロセスデータＰＤは、図１において１点鎖線で示すようにプロセスデータ配送装置５によって、複数の装置へと配送される。図１では１台のガイダンス情報提供装置１と２台のプラント監視制御端末装置２、及び１台の警報情報提供装置６にデータを配送している。
【００１０】
プロセスデータ配送装置５は、プラント監視制御端末装置２から受信した操作信号をプロセスデータ入出力装置４に配送する。報知レベル到達検出装置としての警報情報提供装置６は配送されたプラントプロセスデータに異常値を検出した場合、これを警報情報Ａ（図１で実線にて示す）としてガイダンス情報提供装置１とプラント監視制御端末装置２に発し、配送する。ガイダンス情報提供装置１は配送されたプラントプロセスデータＰＤと警報情報Ａとに基づきガイダンス情報Ｇ（図１で点線にて示す）を生成する。プラント監視制御端末装置２はシステムに複数台設置され、複数の運転員がプラント３の監視制御を行っている。図１では２台設置された例を記載している。
【００１１】
図２において、ガイダンス情報提供装置１は、プラントの運転を支援するための情報を記憶する記憶手段として、プラント構成設備クラスデータベース記憶手段１１、監視点情報記憶手段としてのプラント構成設備データベース記憶手段１２、ガイダンス情報データベース記憶手段１３を有する。また、ガイダンス情報作成手段１４及び装置間通信手段１５を有する。プラント構成設備クラスデータベース記憶手段１１は、ガイダンス情報Ｇを作成するために、プラントを構成する設備を設備の種類ごとに分類しクラスとして管理するためのプラント構成設備クラスデータベースを記憶する。プラント構成設備データベース記憶手段１２は、プラントを構成する設備の情報を集約したプラント構成設備データベースを記憶する。ガイダンス情報データベース記憶手段１３は、設備ごとのガイダンスを集約したガイダンス情報データベースを記憶する。なお、例えばプラント構成設備クラスデータベース記憶手段１１には、プラントの設備の属性データの中にプラントプロセスデータに関する表示情報としては、例えばポンプの用途や種別のほかに画面上の表示位置、表示文字の大きさなどが定義されている。
【００１２】
なお、プラント構成設備データベース記憶手段１２には、各設備のインスタンスとなる監視点（例えばポンプの流量など）が登録されており、その属性がプラント構成設備クラスデータベースに定義されている。ガイダンス情報作成手段１４は、装置間通信手段１５から配送されたプラントプロセスデータＰＤと警報情報Ａとに基づき、警報発生時に、３つのデータベース（プラント構成設備クラスデータベース、プラント構成設備データベース、ガイダンス情報データベース）からガイダンス情報Ｇを作成し（詳細動作は後述する）、装置間通信手段１５を介してプラント監視制御端末装置２へと配送する。
【００１３】
プラント監視制御端末装置２は、図３の構成図に示すように、監視制御画面データベース記憶手段２１、監視制御画面作成手段２２、監視制御画面構成管理手段２３、監視制御画面表示要求手段２４、画面表示手段２５、画面表示装置２６、ガイダンス情報表示要求手段２７及び装置間通信手段２８を有する。監視制御画面データベース記憶手段２１は、プラント３の監視制御に必要な画面の情報である監視制御画面データベースを記憶している。監視制御画面作成手段２２は、監視制御画面データベースをもとに監視画面を作成する。監視制御画面構成管理手段２３は、監視制御画面作成手段２２より作成された監視画面を管理し、運転員の操作に応じて監視制御画面表示要求手段２４は画面表示手段２５にガイダンス情報の表示を要求し、画面表示装置２６に表示させる。
【００１４】
また、装置間通信手段２８は、ガイダンス情報提供装置１からのガイダンス情報Ｇを受信し、監視制御画面表示要求手段２４及びガイダンス情報表示要求手段２７へ送る。ガイダンス情報表示要求手段２７は、画面表示手段２５にガイダンス情報Ｇの表示を要求する。画面表示手段２５は、監視制御画面表示要求手段２４及びガイダンス情報表示要求手段２７からの表示の要求を処理することにより画面表示装置２６上にリアルタイム監視制御に必要な画面とガイダンス情報の同時表示を実現する。なお、監視制御画面表示要求手段２４は、装置間通信手段２８を介してガイダンス情報提供装置１から受信したガイダンス情報Ｇを監視し、異常の有無を監視する（詳細、後述）。
【００１５】
次に、プラント運転支援システムの動作について、図４、図５のフローチャートにより説明する。プラント運転支援システムは、通常、プラント３が正常に運転している間は、プラント３のプラントプロセスデータＰＤは、プロセスデータ入出力装置４により収集され、プロセスデータ配送装置５から配送される。警報が発生していないため、プラント監視制御端末装置２では、監視制御画面でプラントプロセスデータだけを定周期で更新し表示している。そして、警報が発生した場合には、ガイダンス情報提供装置１でガイダンス情報Ｇを生成し、このガイダンス情報Ｇもプラント監視制御端末装置２に表示される。そして、一定の周期でプラントプロセスデータＰＤを更新しながらガイダンス情報Ｇが併せて表示されることになる。
【００１６】
ここで、ガイダンス情報提供装置１（図２）の動作の詳細を図４のフローチャートにより説明する。図４において、装置間通信手段１５（図２）は常時プラント３を含む外部装置からの伝送データを収集（受信）している（ステップＳ１０１）。そして、外部装置より伝送データを受けとった場合には、ガイダンス情報作成手段１４に伝送データを配送する（ステップＳ１０２）。伝送データを受けとったガイダンス情報作成手段１４は、伝送データの種別を切り分けるため、受信した伝送データが警報情報Ａかどうかを判定する（ステップＳ１０３）。そして、伝送データが、警報情報Ａの場合、警報情報Ａを更新する、すなわち警報情報Ａの中に新規に発生した警報があれば追加でデータを保存し、消滅している警報情報があれば該当する警報情報をデータより削除する（ステップＳ１０９）。
【００１７】
また、受信した伝送データがプラントプロセスデータＰＤの場合には（ステップＳ１０４）、警報情報Ａが残っていないか（既に発生している警報がないか）確認し（ステップＳ１０５）、残っている警報情報Ａと関係する情報を、各データベースより抽出する。すなわち、プラント構成設備クラスデータベース記憶手段１１より当該プラントプロセスデータと関係する設備の種別（情報）Ｄ１を、プラント構成設備データベース記憶手段１２より当該設備の情報Ｄ２を、ガイダンス情報データベースよりガイダンスに必要な情報Ｄ３を抽出し、これらの情報を総合して警報情報Ａに対応した報知レベル到達プロセスデータガイダンス情報としてのガイダンス情報Ｇを生成する（ステップＳ１０６）。ガイダンス情報作成手段１４は作成したガイダンス情報Ｇを装置間通信手段１５に配送し（ステップＳ１０７）、装置間通信手段１５よりプラント監視制御端末装置２に配送する（ステップＳ１０８）。
【００１８】
次に、プラント監視制御端末装置２（図３）の動作を説明する。図５のフローチャートにおいて、まず起動時の初期化を行う。この初期化において、具体的には、監視制御画面作成手段２２が監視制御画面データベースの情報から個別の監視制御画面の情報を作成し、監視制御画面構成管理手段２３が操作員の操作に応じた画面構成となるよう監視制御画面の情報を変更し、このデータを監視制御画面表示要求手段２４に伝送している（ステップＳ２０１）。初期化が終了すれば、装置間通信手段２８は、ガイダンス情報提供装置１よりガイダンス情報Ｇを、警報情報提供装置６より警報情報Ａを、プロセスデータ配送装置５よりプラントプロセスデータＰＤを受信する（ステップＳ２０２）（図１も参照）。装置間通信手段２８は、受信した伝送データの種類が、プラントプロセスデータＰＤ、あるいは警報情報Ａの場合には、受信した伝送データを監視制御画面表示要求手段２４に伝送する（Ｓ２０４）。
【００１９】
装置間通信手段２８が受信した伝送データの種類が、ガイダンス情報提供装置１より受信したガイダンス情報Ｇの場合には、ガイダンス情報表示要求手段２７に配送する（Ｓ２０９）。画面表示手段２５では監視画面の表示要求と装置間通信手段２８を介して受信したプラントプロセスデータＰＤや警報情報Ａから、既に作成している監視制御画面の情報に受信したプラントプロセスデータＰＤと警報情報Ａとを付加し、送信する描画リクエストＲＱ１を生成し（Ｓ２０５）、画面表示手段２５に配送する（ステップＳ２０６）。また、ガイダンス情報表示要求手段２７が伝送データ（ガイダンス情報Ｇである）を受信した場合には、受信したガイダンス情報Ｇより描画リクエストＲＱ２を生成し（ステップＳ２１０）、画面表示手段２５に描画リクエストＲＱ２を送信する（ステップＳ２１１）。
【００２０】
画面表示手段２５は、監視制御画面表示要求手段２４からの描画リクエストＲＱ１を、あるいはガイダンス情報表示要求手段２７より描画リクエストＲＱ２を受信し、既に受信している描画リクエストＲＱ１，ＲＱ２と、新たに受信した描画リクエストＲＱ１，ＲＱ２を組み合わせ、画面イメージを生成（更新）し（ステップＳ２０７）、画面表示装置２６に伝送する（ステップＳ２０８）。このデータ受信から画面イメージの出力までの処理を繰り返すことにより、ガイダンス情報Ｇと監視制御画面とを組み合わせて表示する。
【００２１】
以上のようにこの実施の形態によれば、ガイダンス情報Ｇの生成はガイダンス情報提供装置１にて処理されるため、プラント監視制御端末装置２のリアルタイム性及び操作性が確保され、装置の複雑化を招くことなくリアルタイム性及び操作性を確保できる。また、ガイダンス情報Ｇと監視制御画面とを併せて表示できる。
【００２２】
実施の形態２．
図６〜図９は、実施の形態２を示すものであり、図６はガイダンス情報提供装置の構成図、図７はプラント監視制御端末装置の構成図である。図８は、ガイダンス情報提供装置の動作を説明するためのフローチャート、図９はプラント監視制御端末装置の動作を説明するためのフローチャートである。実施の形態１ではガイダンス情報提供装置１は一定の周期でプロセスデータ配送装置５から入手したプラントプロセスデータＰＤをもとにガイダンス情報Ｇを更新し、プラント監視制御端末装置２へと配送するものである。これに対し、この実施の形態はガイダンス情報Ｇをより効率的に更新するようにしたものである。
【００２３】
図６において、プラント監視制御端末装置２０２は、ガイダンス情報作成手段２１４、装置間通信手段２１５、ガイダンス情報変動パラメータ抽出手段２１６を有する。その他の構成については、図２に示した実施の形態１と同様のものであるので、相当するものに同じ符号を付して説明を省略する。図７において、プラント監視制御端末装置２０２は、監視制御画面表示要求手段２２４、ガイダンス情報表示要求手段２２７及び装置間通信手段２２８を有する。その他の構成については、図３に示した実施の形態１と同様のものであるので、相当するものに同じ符号を付して説明を省略する。
【００２４】
次に、ガイダンス情報提供装置２０１の動作について図８のフローチャートにより説明する。図８のフローチャートにおいて、装置間通信手段２１５が伝送データを受信し（ステップＳ１０１）、受信した伝送データをガイダンス情報作成手段２１４に配送する（ステップＳ１０２）までは、実施の形態１の図４と同じであるが、受信した伝送データが警報情報であった場合（ステップＳ１１１）、以降警報情報Ａに関する処理のみを行う。そして、受信した伝送データが警報情報Ａであった場合、ガイダンス情報作成手段２１４は警報情報ＡとプラントプロセスデータＰＤに基づいてガイダンス情報Ｇを作成するとともに（ステップＳ１１２）、ガイダンス情報変動パラメータ抽出手段２１６にガイダンス情報Ｇの中から警報情報Ａに対応するすなわち異常が検出されたプラントプロセスデータの変動パラメータ情報ＨＰを抽出するように要求する（ステップＳ１１３）。ここに、この発明における変動パラメータ情報ＨＰとは、プラントの運転を支援するためのガイダンス情報Ｇのうち、プラントプロセスデータに関する表示情報、例えば表示するデータの項目、表示画面上の表示位置、文字の大きさ、色などである。
【００２５】
ガイダンス情報変動パラメータ抽出手段２１６は、ガイダンス情報データベース記憶手段１３に記憶されたガイダンス情報データベースの中から変動パラメータ情報ＨＰを抽出し、抽出した報知レベル到達プロセスデータガイダンス情報としての変動パラメータ情報ＨＰをガイダンス情報作成手段２１４に配送する（ステップＳ１１４）。ガイダンス情報作成手段２１４では受けとった変動パラメータ情報ＨＰとガイダンス情報Ｇとをあわせて装置間通信手段２１５に配送する（Ｓ１１５）。装置間通信手段２１５では受信したガイダンス情報Ｇと変動パラメータ情報ＨＰとをプラント監視制御端末装置２０２に送信する（Ｓ１１６）。
【００２６】
続いて、図７のプラント監視制御端末装置２０２の動作を図９のフローチャートにより説明する。実施の形態１と同様に装置間通信手段２２８が受信した伝送データを監視制御画面表示要求手段２２４とガイダンス情報表示要求手段２２７に配送するが、変動パラメータ情報ＨＰを受信した場合の処理として、装置間通信手段２２８が受信した伝送データの種類を判定するステップ２１２が追加されている。このステップＳ２１２は、受信した伝送データが変動パラメータ情報ＨＰか、ガイダンス情報Ｇか、プラントプロセスデータＰＤか、警報情報Ａか判別し、その種類に応じて以降の処理を行うためのものである。
【００２７】
受信した伝送データがガイダンス情報Ｇか変動パラメータ情報ＨＰの場合、装置間通信手段２２８はこの伝送データをガイダンス情報表示要求手段２２７に配送し（ステップＳ２０９）、ガイダンス情報表示要求手段２２７では、受信した伝送データが変動パラメータ情報ＨＰである場合、この変動パラメータ情報ＨＰからプラントプロセスデータＰＤとガイダンス情報Ｇとの連動に必要な描画要素を生成し、監視制御画面表示要求手段２２４に配送する（ステップＳ２１５）。監視制御画面表示要求手段２２４では、受信した伝送データが描画要素の場合、描画要素にプラントプロセスデータＰＤの情報を追加して描画リクエストＲＱ１を生成し（ステップＳ２１３）、画面表示手段２５へ配送する（ステップＳ２０６）。伝送データがガイダンス情報Ｇである場合は（ステップＳ２１４）、実施の形態１と同様に処理し、描画リクエストＲＱ２を作成し（ステップＳ２１０）、画面表示手段２５に配送する（ステップＳ２１１）。
【００２８】
以上のように、本実施の形態においても、ガイダンス情報Ｇの生成はガイダンス情報提供装置２０１にて処理され、プラントプロセスデータＰＤの動的な更新処理についてはプラント監視制御端末装置２０２で行われ、かつプラントプロセスデータに異常が検出されたとき（警報情報Ａであるとき）、ガイダンス情報Ｇの中から変動パラメータ情報ＨＰのみを抽出して描画要素を生成することにより、警報発生時に効率的に画面表示を更新でき、一層リアルタイム性及び操作性を向上させることができる。
【００２９】
実施の形態３．
図１０、図１１は、実施の形態３を示すものであり、図１０はガイダンス情報提供装置におけるプラント構成設備クラスベース記憶手段及びプラント構成設備データベース記憶手段の構成を示す構成図、図１１は動作を説明するためのフローチャートである。実施の形態１においては、設備の種類ごとに表示を統一し、ガイダンス情報Ｇを一括して更新している。これに特別強調するプラントプロセスデータを強調して表示するために、図１０に示すように、ガイダンス情報提供装置におけるガイダンス情報を記憶するプラント構成設備クラスデータベース記憶手段３１１に、例えばポンプ（ポンプ種別Ａ）３１１１の属性データとして上限値オーバー警報色３１１１ａ（赤）、下限値アンダー警報色３１１１ｂ（青）のような個別の表示属性を追加設定（定義）する。また、同じくガイダンス情報を記憶するプラント構成設備データベース記憶手段３１２に、例えばプラント３１２１（Ｐ−ＤＣ−００１）の属性データとして上限値オーバー３１２１ａ（橙）、下限値アンダー警報色３１２１ｂ（濃紺）のような個別の表示属性を追加する。このようにすることにより、ガイダンス情報の表示において重要なプラントプロセスデータＰＤの表示情報だけを特別な状態で表示することができる。
【００３０】
データ処理フローとしては図１１のフローチャートに示すように、実施の形態１における図４中のステップＳ１０６の次にプラント構成設備データベース記憶手段１２の属性を参照する処理ステップＳ１２１を追加し、強調する属性を使用した表示ができるガイダンス情報Ｇを生成する。その他の動作については、図４に示したフローチャートと同様である。
このように表示属性を個別に設定することにより、運転員の視認確認作業を効率的に行うことができる。
【００３１】
実施の形態４．
図１２〜図１５は、実施の形態４を示すものであり、図１２はガイダンス情報提供装置の構成図、図１３はプラント監視制御端末装置の構成図である。図１４は、ガイダンス情報提供装置の動作を説明するためのフローチャート、図１５はプラント監視制御端末装置の動作を説明するためのフローチャートである。図１２において、ガイダンス情報提供装置４０１は、装置間通信手段４１５、監視点情報抽出手段４１７、監視点データベース記憶手段４１８を有する。なお、実施の形態１において説明したが、プラント構成設備データベース記憶手段１２がこの発明における監視点情報記憶手段である。図１３において、プラント監視制御端末装置４０２は、監視制御画面作成手段４２２、装置間通信手段４２８及び指定監視点情報記憶手段としての監視点データベース記憶手段４３８を有する。その他の構成については、図２及び図３に示した実施の形態１と同様のものであるので、相当するものに同じ符号を付して説明を省略する。実施の形態３においては、ガイダンス情報Ｇは重要なプラントプロセスデータＰＤが強調表示され運転員の視認確認効率は向上するが、この実施の形態４では、監視画面とガイダンス情報の表示を統一することにより更なる確認作業の効率化を実現するものである。
【００３２】
まず、ガイダンス情報提供装置４０１の動作を、図１４のフローチャートにより説明する。図１４において、監視点情報抽出手段４１７（図１２）は、起動時に前処理として初期化処理を行う。図１４のフローチャートには詳細を省略しているが、前処理としてプラント構成設備クラスデータベース記憶手段１１に記憶されたプラント構成設備クラスデータベース、プラント構成設備データベース記憶手段１２に記憶されたプラント構成設備データベースから指定監視点情報としての指定された監視点に関する監視点情報を抽出し、プラントプロセスデータの表示に関するデータベースとなる監視点データベースＷＤを作成し、監視点データベース記憶手段４１８に記憶する（ステップＳ１３１）。また、装置間通信手段４１５から装置間通信手段４２８へ送る（ステップＳ１３２）。
【００３３】
起動時の初期化が終了すると、装置間通信手段４１５により伝送データを受信する通常の動作に移行し（ステップＳ１０１）、装置間通信手段４１５が受信した伝送データは、ガイダンス情報作成手段１４へ送られる（ステップＳ１０２）。以下の動作は、図１１のフローチャートに示した実施の形態３と同様であるので、相当するものに同じ符号を付して説明を省略する。
【００３４】
次に、プラント監視制御端末装置４０２（図１３）の動作を、図１５のフローチャートにより説明する。このプラント監視制御端末装置４０２においては、監視制御画面作成手段４２２がガイダンス情報提供装置４０１で作成されて装置間通信手段５１５，５２８を介して送信され監視点データベース記憶手段４３８（図１３）に記憶されている監視点データベースＷＤと、監視制御画面データベースとを連動させて監視画面を生成することにより、ガイダンス情報Ｇと監視画面の表示を統一し、運転員のプラントプロセスデータの確認を容易にするものである。図１５において、プラント監視制御端末装置４０２は、起動時に初期化処理を行う（ステップＳ２２１）。この初期化処理は、図１５のフローチャートには詳細を省略しているが、装置間通信手段４２８がガイダンス情報提供装置４０１から装置間通信手段４１５，４２８を介して監視点データベースＷＤを受信し、監視点データベース記憶手段４３８に記憶する処理である。この初期化処理が終了すれば、以後の動作は図５に示した実施の形態１と同様であるが、監視制御画面作成手段４２２が監視点データベースＷＤと監視制御画面データベースとを合成することにより、監視制御画面表示要求手段２４の生成する描画リクエストに監視点データベースＷＤの情報を混入させ、ガイダンス情報Ｇと監視制御画面の統一的な表示を実現する。
【００３５】
実施の形態５．
図１６〜図１９は、実施の形態５を示すものであり、図１６はガイダンス情報提供装置の構成図、図１７はプラント監視制御端末装置の構成図である。図１８は、ガイダンス情報提供装置の動作を説明するためのフローチャート、図１９はプラント監視制御端末装置の動作を説明するためのフローチャートである。図１６において、ガイダンス情報提供装置５０１は、装置間通信手段５１５を有する。その他の構成については、図２に示した実施の形態１、図６に示した実施の形態２、図１２に示した実施の形態４と同様のものであるので、相当するものに同じ符号を付して説明を省略する。また、図１７において、プラント監視制御端末装置５０２は、装置間通信手段５２８を有する。その他の構成については、図３に示した実施の形態１、図７に示した実施の形態２、図１３に示した実施の形態４と同様のものであるので、相当するものに同じ符号を付して説明を省略する。この実施の形態は、要するに実施の形態１、２、４を組み合わせたものである。
【００３６】
次に、ガイダンス情報提供装置５０１（図１６）の動作を図１８のフローチャートにより説明する。図１８において、監視点情報抽出手段４１７は、起動時に前処理としてプラント構成設備クラスデータベース記憶手段１１に記憶されたプラント構成設備クラスデータベース、プラント構成設備データベース記憶手段１２に記憶されたプラント構成設備データベースから指定された監視点に関する監視点情報を抽出し、プラントプロセスデータの表示に関するデータベースとなる監視点データベースＷＤを作成する。この監視点データベースＷＤは、監視点データベース記憶手段４３８に記憶される。併せて、プラント構成設備データベースより個別に設定された属性情報についても監視点データベースに追加する。以上の処理がステップＳ１４１においてなされる。そして、監視点データベースＷＤは、装置間通信手段５１５を介して装置間通信手段４２８へ送られる（ステップＳ１３２）。
【００３７】
初期化処理のステップＳ１４１及びステップＳ１３２が終了した後の処理は、図８の実施の形態２におけるのと同様であり、装置間通信手段５１５により伝送データを受信する通常の動作に移行する（ステップＳ１０１）。装置間通信手段５１５が受信した伝送データは、ガイダンス情報作成手段１４へ送られる（ステップＳ１０２）。ガイダンス情報作成手段１４は伝送データが警報情報Ａであるか否かを判定し、警報情報Ａでない場合はステップＳ１０１へ戻る。すなわち、伝送データが警報情報Ａの場合のみステップＳ１０９へ進む（Ｓ１１１）。そしてガイダンス情報作成手段１４は、警報情報Ａを更新する、すなわち新規に発生した警報を追加し消滅した警報を削除する（ステップＳ１０９）。また、ガイダンス情報作成手段１４は、警報情報Ａを受信したときに警報情報Ａよりガイダンス情報Ｇを作成するとともに（ステップＳ１１２）、ガイダンス情報変動パラメータ抽出手段２１６にデータベースから変動パラメータ情報ＨＰを抽出するように要求する（ステップＳ１１３）。
【００３８】
そして、ガイダンス情報変動パラメータ抽出手段２１６がガイダンス情報Ｇの中のプラントプロセスデータに関する表示情報をガイダンス情報データベースより抽出し、プラント構成設備データベースと連動した情報へと加工し、警報発生時に描画リクエストとして生成し、ガイダンス情報作成手段１４に配送し（ステップＳ１１４）、ガイダンス情報作成手段１４では受信した変動パラメータ情報ＨＰとガイダンス情報Ｇとを装置間通信手段５１５に配送する（Ｓ１１５）。装置間通信手段５１５では受信したガイダンス情報Ｇと変動パラメータ情報ＨＰをプラント監視制御端末装置５０２に配送する（Ｓ１１６）。
【００３９】
次に、プラント監視制御端末装置５０２の動作を、図１９のフローチャートにより説明する。監視制御画面作成手段４２２（図１７）が監視点データベース記憶手段４３８に記憶された監視点データベースＷＤと、監視制御画面データベースとを連動させて監視画面を生成することにより、ガイダンス情報と監視画面の表示を統一し、運転員のプラントプロセスデータの確認を容易にするものである。プラント監視制御端末装置４０２（図１７）では、起動時に初期化処理を行う（ステップＳ２３１）。この初期化処理は、図１５のフローチャートにおけるのと同様に、装置間通信手段４２８（図１７）が監視点データベースＷＤを受信し、監視点データベース記憶手段４３８に記憶する処理であるが、このステップＳ２３１にて監視点データベースＷＤからプラントプロセスデータの属性値も監視制御画面のデータに追加し、後述する図１９のステップＳ２３２の処理において、各プラントプロセスデータの属性を反映した描画リクエストＲＱ１を生成する（詳細後述）。この初期化処理が終了すれば、以後の動作は図１５に示した実施の形態４と同様であり、監視制御画面作成手段４２２が監視点データベースＷＤと監視制御画面データベースとを合成することにより、監視制御画面表示要求手段２４の生成する描画リクエストにガイダンス情報提供装置４０１の監視点データベースＷＤの情報を混入させ、ガイダンス情報Ｇと監視制御画面の統一的な表示を実現する。
【００４０】
以上、要するに、ガイダンス情報Ｇの中のプラントプロセスデータに関する表示情報を、図１６のガイダンス情報変動パラメータ抽出手段２１６がガイダンス情報データベースより抽出し、プラント構成設備データベースと連動した情報へと加工し、警報発生時に描画リクエストとして生成し、装置間通信手段５１５によりプラント監視制御端末装置５０２に送信する。図１７のプラント監視制御端末装置５０２では装置間通信手段５２８が受信した描画リクエストを監視制御画面作成手段４２２に配送し、監視制御画面作成手段４２２では、画面のデータベースと装置間通信手段４２８より受信したガイダンス情報描画リクエスト、及び監視点データベースより抽出したプラントプロセスデータを連携させることで、プラントプロセスデータの動的な更新処理だけをプラント監視制御端末装置５０２で実現し、ガイダンス情報Ｇと監視制御画面の表示属性が統一され、効率的なガイダンス情報の更新が行えるプラント運転支援システムを実現する。
【００４１】
プラントプロセスデータの更新についてはガイダンス情報提供装置５０１では実行しないため図１８のステップＳ１１１に示すように警報情報のみ処理する。そしてプラント監視制御端末装置２では図１９に示すように、ステップＳ２３１にて監視点データベースＷＤからプラントプロセスデータの属性値も監視制御画面のデータに追加し、図１９のステップＳ２３２の処理において、各プラントプロセスデータの属性を反映した描画リクエストを生成することで効率的に実施の形態４と同様の手段を実現する。
【００４２】
以上の実施の形態においては、報知レベル到達検知装置はプラントプロセスデータに異常値を検出したとき警報情報を発する警報情報提供装置について説明したが、警報レベルに達したことを検出するものに限られるものではなく、何らかの操作を促すためや残量や残時間が予め定められた値であって報知すべき値である報知レベルに到達したことを検出するなどプラントプロセスデータが報知レベルに達したことを検出するものであってもよい。
【符号の説明】
【００４３】
１，２０１，４０１，５０１  ガイダンス情報提供装置、
２，２０１，４０２，５０２  プラント監視制御端末装置、３  プラント、
４  プロセスデータ入出力装置、５  プロセスデータ配送装置、６  警報情報提供装置、
１１，３１１  プラント構成設備クラスデータベース記憶手段、
１２，３１２  プラント構成設備データベース記憶手段、
１３  ガイダンス情報データベース記憶手段、１４，２１４  ガイダンス情報作成手段、
１５，２１５，４１５、５１５  装置間通信手段、
２１  監視制御画面データベース記憶手段、２２，４２２  監視制御画面作成手段、
２３  監視制御画面構成管理手段、２４  監視制御画面表示要求手段、
２５  画面表示手段、２６  画面表示装置、
２７，２２７  ガイダンス情報表示要求手段、
２８，２２８，４２８，５２８  装置間通信手段、
２１６  ガイダンス情報変動パラメータ抽出手段、４１７  監視点情報抽出手段。
【図１】
2010231679.tif 000003
【図２】
2010231679.tif 000004
【図３】
2010231679.tif 000005
【図４】
2010231679.tif 000006
【図５】
2010231679.tif 000007
【図６】
2010231679.tif 000008
【図７】
2010231679.tif 000009
【図８】
2010231679.tif 000010
【図９】
2010231679.tif 000011
【図１０】
2010231679.tif 000012
【図１１】
2010231679.tif 000013
【図１２】
2010231679.tif 000014
【図１３】
2010231679.tif 000015
【図１４】
2010231679.tif 000016
【図１５】
2010231679.tif 000017
【図１６】
2010231679.tif 000018
【図１７】
2010231679.tif 000019
【図１８】
2010231679.tif 000020
【図１９】
2010231679.tif 000021